(57)【特許請求の範囲】
【請求項１】
走光性を示すイカを誘集する集魚方法において、
操業開始時に光源の発光強度を大きく設定し、イカと光源との距離が近くなると共に光源の発光強度を小さくし、イカを光源近くに誘集し、誘集したイカに対してイカが麻痺状態となるように所定の点滅周期で所定の点灯時間前記光源から光を出射するようになされ、
前記光源の発光色を赤色以外とし、点滅周期を０．５〜５ｓとし、かつ点灯時間を点滅周期に対して０．３〜０．８倍とすることを特徴とする集魚方法。
【請求項２】
請求項１記載の集魚方法に用いる集魚灯装置であって、少なくとも一以上の光源と、前記光源の点滅周期を制御するための点滅周期制御部と、前記光源の点灯時間を制御するための点灯時間制御部と、イカと前記光源との距離が近くなると共に前記光源の発光強度を小さくするための前記光源の発光強度を制御する発光強度制御部と、光源の発光波長を制御する発光波長制御部と、を備えたことを特徴とする集魚灯装置。
【発明の詳細な説明】
【技術分野】
【０００１】
本発明は、漁業に用いる集魚方法及びそれに用いる集魚灯装置に関する。具体的には、イカ、サンマ、アジ、サバ等の水産動物を集め、漁獲に連係するための集魚灯装置の技術分野に属する。
【背景技術】
【０００２】
従来、漁業の操業においては、自船周囲のより広い海域からできるだけ多くの対象生物を漁具の操作範囲に集め、漁獲に結びつけることを目的として、集魚灯が用いられている。漁業の操業過程は、対象生物を探知する過程（探魚）、誘集する過程（集魚）、漁獲する過程（漁獲）から構成され、集魚灯の灯光は漁獲の効率を左右する重要な要素である。集魚灯漁業の主な対象生物としては、走光性のあるイカ、サンマ、アジ、サバ等が挙げられる。
【０００３】
集魚灯に用いられる光源技術は、漁獲量を増加させるためには光力を増加することが有効であるという考えのもとに開発が進められてきた。集魚灯の光源は、アセチレンランプ、白熱ランプ、ハロゲンランプと変遷してきており、現在ではメタルハライドランプが主流となっている。
【０００４】
また、最近では上記ランプに変わり発光ダイオードを用いた集魚灯が提案されている。特許文献１及び２には、青色発光ダイオードを光源として備えた集魚灯が開示されており、少ない電力消費量で効果的に魚類を誘集できることが記載されている。
【０００５】
【特許文献１】特開２００３−１３４９６７号公報
【特許文献２】特開２０００−１２５６９８号公報
【発明の開示】
【発明が解決しようとする課題】
【０００６】
しかしながら、これら従来の集魚灯においては、いずれも単に魚類を誘集するものであり、必ずしも漁獲効率の向上に寄与するものではなかった。
【０００７】
そこで、本発明では、漁獲効率の向上に繋ぐことができる集魚方法、及びそれに用いる集魚灯装置を提供することを目的とする。
【課題を解決するための手段】
【０００８】
上記課題を解決するため、本発明の集魚方法は、請求項１において、走光性を示すイカを誘集する集魚方法において、操業開始時に光源の発光強度を大きく設定し、イカと光源との距離が近くなると共に光源の発光強度を小さくし、イカを光源近くに誘集し、誘集したイカに対してイカが麻痺状態となるように所定の点滅周期で所定の点灯時間前記光源から光を出射することを特徴とする。
【０００９】
上記手段によれば、誘集されたイカを光源からの所定発光強度の光を所定間隔で出射することで、イカは一時的に運動機能が低下する麻痺状態となり、漁獲を容易に行うことが可能となる。なお、ここでいうイカの麻痺状態とは、水中での動きが緩慢となり運動機能が低下した状態を表し、例えば光源に密集したり、離れたりを緩慢な周期で繰り返す行動をとっており、容易に手掴みすることができる状態などのことを表す。
【００１０】
また、本発明の集魚方法は、請求項２では、請求項１記載の集魚方法において、光の点滅周期が０．５〜５ｓであることを特徴とする。
【００１１】
上記手段によれば、イカを麻痺状態とするための光源の点滅周期が最適化される。
【００１２】
また、請求項３では、請求項１又は２記載の集魚方法において、光の点灯時間を点滅周期に対して０．３〜０．８倍とすることを特徴とする。
【００１３】
上記手段によれば、イカを麻痺状態とするための光源の点灯時間が最適化される。
【００１４】
また、本発明の集魚灯装置は、請求項４として、請求項１〜３のいずれか記載の集魚方法に用いる集魚灯装置であって、少なくとも一以上の光源と、前記光源の点滅周期を制御するための点滅周期制御部と、前記光源の点灯時間を制御するための点灯時間制御部と、イカと前記光源との距離が近くなると共に前記光源の発光強度を小さくするための前記光源の発光強度を制御する発光強度制御部と、光源の発光波長を制御する発光波長制御部と、を備えたことを特徴とする。
【００１５】
上記構成によれば、本発明の集魚方法に用いるのに最適な集魚灯装置が提供される。
【発明の効果】
【００１６】
本発明の集魚方法によれば、操業開始時に光源の発光強度を大きく設定し、イカと光源との距離が近くなると共に光源の発光強度を小さくし、イカを光源近くに誘集し、誘集されたイカに対して光源からの所定発光強度の光を所定間隔で出射することで、イカは一時的に運動機能が低下する麻痺状態となるので、漁獲を容易に行うことができ漁獲効率を向上させることが可能となる。
【発明を実施するための最良の形態】
【００１７】
以下、本発明に係る集魚灯装置、及びその使用方法を、各実施形態に基づき説明する。まず、本発明の実施の形態（１）を図１〜５に示す。
【００１８】
図１、図２は、実施の形態（１）に係る集魚灯装置をイカ釣りに使用する場合について示している。集魚灯装置１００は、光源制御部１と集魚灯２とから構成されている。集魚灯２は、集魚灯水深調節装置４に接続されたワイヤ４１により漁船Ｓから海中に投入される。集魚灯２により誘集されたイカは、自動イカ釣機３に接続された釣り糸３１の擬餌針３２を捕捉し易くなるので、釣り糸３１を自動イカ釣機３によって巻き上げることにより、イカを釣獲することができる。
【００１９】
まず、集魚灯装置１００の装置構成について説明する。この実施の形態（１）に係る集魚灯装置１００は、図２に示すように、光源２０を有する集魚灯２と、その光源２０の発光状態を変化させる光源制御部１とを接続して概略構成されている。そして、光源制御部１は、光源２０の発光状態を設定するための操作部１０と、操作部１０に入力された信号を光源２０へ出力するための回路部１３とを備えている。
【００２０】
また、集魚灯２の発光状態は光源制御部１により制御される。なお、集魚灯２には、必要に応じて、光が反射する傘部２９等を設けることにより、集魚灯２から発せられる光を下向きにする等して指向性を持たせることもできる。また、灯具の構造やＬＥＤの配置により指向性を持たせることも可能である。
【００２１】
操作部１０には、図３に示すように光源２０の点滅周期を制御するための点滅周期制御部１１として、光源２０の点滅周期を変化させる点滅周期ボリューム部１１１と、その点滅周期ボリューム部１１１の設定位置に対応する点滅周期スケール部１１２とが設けられている。また、操作部１０には、光源２０の点灯時間を制御するための点灯時間制御部１２として、光源２０の点灯時間を変化させる点灯時間ボリューム部１２１と、その点灯時間ボリューム部１２１の設定位置に対応する点灯時間スケール部１２２とが設けられている。
【００２２】
さらに、操作部１０には、操作部１０は、例えば箱型に形成された操作パネルから構成され、光源１０の発光波長を制御する発光波長制御部１３として、発光波長を変化させる発光波長ボリューム１３１と、発光波長ボリューム部１３１に沿うように発光波長スケール部１３２が設けられている。また、光源１０の発光強度を制御する発光強度制御部１４として、発光強度を変化させる発光強度ボリューム部１４１を有し、発光強度ボリューム部１４１に沿うように発光強度スケール部１４２が設けられている。発光波長スケール部１４２は、例えば可視光域のスペクトルを模した帯状の表示部材からなり、つまみの位置に対応する光源２０の発光波長が直感的に認識できるようになっている。また、発光強度スケール部１４２は、例えば三角形状に構成され、つまみを動かすことで光源２０の発光強度が変化することを直感的に認識できるようになっている。さらに発光スペクトル・スケールおよび発光強度の設定を再現するための指標として数値スケールも併装している。
【００２３】
点滅周期ボリューム部１１１、点灯時間ボリューム部１２１、発光波長ボリューム部１３１、及び発光強度ボリューム部１４１は、例えば可変抵抗を備えており、設定された値に対応する電圧値がＣＰＵ１５１のＡＤ端子に入力される。そしてＣＰＵ１５１でＡＤ変換された後、ＲＧＢの各発光ダイオード２１に対する点滅周期、点灯時間、及び電流値が演算される。この演算結果に基づいた点滅周期指令値、点灯時間指令値、電流指令値が定電流回路１３２に出力され、各発光ダイオードに電流を流し、それぞれの点滅状態、及び発光量を制御する。
【００２４】
次に、集魚灯２について説明する。図４（ａ）は、実施の形態（１）に係る集魚灯２の斜視図であり、図４（ｂ）はそのＡ−Ａ断面図である。この集魚灯２は、円柱状の筐体２２の周面に、複数の発光ダイオード２１が取り付けられ、光を全方位に出射可能となっている。また、集魚灯２には取り付け器具２４が設けられ、ワイヤー４１により海中に投入して用いられる。そして、集魚灯２と光源制御部１とは入出力線２３で接続され、各発光ダイオード２１の制御のための信号が送られる。なお、図４では便宜上、図１で示した傘部２９は省略している。
【００２５】
図４（ｂ）に示すように、それぞれの発光ダイオード２１は、発光ダイオード実装基板２６上に配設されている。そして、発光ダイオード２１の一部と発光ダイオード実装基板２６の表面には防水シリコン２７がコーティングされ、防水処理が施されている。
【００２６】
また、集魚灯２には、海水を通じて発光ダイオード２１を冷却するための貫通孔２５が設けられている。具体的には、図４（ｂ）に示すように、円柱状の筐体２２の長さ方向に沿って貫通孔２５が形成されており、集魚灯２を水中へ沈めた際に海水が貫通孔２５内へ自然に流入することを利用して、発光ダイオード２１を冷却し、発光効率を高めている。
【００２７】
この実施の形態（１）では、発光ダイオード２１は、図４（ｂ）の拡大図に示すように、赤色発光ダイオード２１１、青色発光ダイオード２１２、及び緑色発光ダイオード２１３を内蔵している。三色の発光ダイオードの発光量をそれぞれ制御することにより、それらの合成として、発光ダイオード２１から発せられる見かけの発光波長を、あるいは発光ダイオード２１の発光強度を変化させることができる。その結果、光源２０全体としての調色、調光を自在に行うことができる。
【００２８】
光源制御部１、及び集魚灯２の回路構成は、図３の例に限定されることなく、適宜設計することができる。また、この実施の形態（１）では、一つの発光ダイオード２１の中に、赤色発光ダイオード２１１、青色発光ダイオード２１２、緑色発光ダイオード２１３が内蔵されている場合について述べたが、これに限定されるものではなく、それぞれ単色の赤色発光ダイオード２１１、青色発光ダイオード２１２、及び緑色発光ダイオード２１３を用い、それらを交互に敷き詰める等して配設して、光源２０全体としての調色、調光を行っても良い。
【００２９】
続いて、実施の形態（１）に係る集魚灯装置を用いた集魚方法について説明する。
【００３０】
例えば、イカを集魚する際には、操業開始時にはより広い範囲のイカを誘集するために集魚灯２の発光強度を大きく設定する。そして、イカが誘集され、集魚灯２とイカとの距離が近くなると共に集魚灯２の発光強度を減じることで、誘集過程におけるイカの逃出を防ぎ、集魚灯２の近くまでイカ群が誘集されることになる。なお、発光強度を減じる方法以外にも、発光波長を、海中の透過率の低い発光波長に変化させ、その効果を魚群探知機やソナーでモニターリングする方法等も適宜採用できる。そして、集魚灯２の近くまで誘集されたイカ群に対してイカが麻痺状態となるように図５に示すような光を光源２０から出射する。具体的には、所定の発光強度を有する光の点灯と消灯とを所定の点滅周期で繰り返すように光源２０から出射する。これにより、誘集されたイカ群は水中での動きが緩慢となり一時的に運動機能が低下する麻痺状態となり、イカ釣り機によって釣上げる状態への移行が容易に可能となる。
【００３１】
なお、光源の点滅周期は０．１〜５ｓであることが好ましく、０．２〜２ｓであることがさらに好ましく、０．５〜１ｓであることが特に好ましい。点滅周期が短い場合、あるいは点滅周期が長い場合にはイカが麻痺状態とはならず光源２０から遠ざかることがあるため好ましくない。
【００３２】
また、光源の点灯時間は点滅周期に対して０．３〜０．８倍であることが好ましく、０．４〜０．６倍であることが特に好ましい。点灯時間が長い場合、また点灯時間が短い場合にはイカが麻痺状態とはならず光源２０から離れて分散してしまうことがあるため好ましくない。
【００３３】
また、光源２０の発光強度については、漁獲対象の水産動物の種類や水産動物までの距離などに応じて、イカが麻痺状態となるような値に適宜設定することが可能ある。また、対象種の成長段階や成群状態によって異なる対光行動をソナーや魚群探知機などの超音波測定器によりモニタリングしながら設定することも可能である。
【００３４】
また、光源２０の発光波長については、走光性を示す漁獲対象の水産動物の種類に応じて適宜設定することが可能である。また、イカの種類はアカイカ類とヤリイカ類の場合について示している。一般にイカの眼の視物質は、波長４７０〜５００ｎｍ付近の光に高感度を示すが、イカ釣り漁業の対象となるアカイカ類、ヤリイカ類は、それぞれ異なる波長で感度の極大を示すことが知られている。集魚灯２の発光波長を、それぞれの種類のイカの分光感度が極大となる波長付近に設定することで、各種イカ類に対して点滅光により麻痺状態とすることを効率良く行うことができる。
【実施例】
【００３５】
（実施例１）
図６に示すような海水を張った円形型水槽Ｐ（直径３８０ｃｍ、深さ１００ｃｍ、水深９０ｃｍ）の内部でスルメイカを馴致し、二時間暗順応させた後に試験を行った。試験は水槽Ｐ内のスルメイカに対して光源２０から青色光を照射することにより行った。なお、光源の発光条件は周期０．５ｓ（点灯時間０．２５ｓ、消灯時間０．２５ｓ）とした。また、光源２０には、発光色として青色、緑色、赤色の３種類のチップを備えたチップＬＥＤ（シャープ株式会社、ＧＭ５ＷＡ０６２７０Ａ）を３０個基板上に取り付けたものを使用した。なお、青色、緑色、赤色の各光源の発光波長はそれぞれ青色４６２ｎｍ、緑色５１７ｎｍ、赤色６２２ｎｍであり、光度は３０００ｍｃｄである。
【００３６】
（実施例２）
光源の発光条件として発光色を青色、周期を０．５ｓ（点灯時間０．３８ｓ、消灯時間０．１２ｓ）とした以外は（実施例１）と同様に行った。
【００３７】
（実施例３）
光源の発光条件として発光色を青色、周期を１．０ｓ（点灯時間０．５ｓ、消灯時間０．５ｓ）とした以外は（実施例１）と同様に行った。
【００３８】
（実施例４）
光源の発光条件として発光色を青色、周期を１．０ｓ（点灯時間０．７５ｓ、消灯時間０．２５ｓ）とした以外は（実施例１）と同様に行った。
【００３９】
（比較例１）
光源の発光条件として発光色を青色、周期を１．０ｓ（点灯時間０．２５ｓ、消灯時間０．７５ｓ）とした以外は（実施例１）と同様に行った。
【００４０】
（比較例２）
光源の発光条件として発光色を青色、周期を１．０ｓ（点灯時間０．１ｓ、消灯時間０．９０ｓ）とした以外は（実施例１）と同様に行った。
【００４１】
（比較例３）
光源の発光条件として発光色を青色、常に点灯させる連続点灯をさせた以外は（実施例１）と同様に行った。
【００４２】
実施例１〜４においては、光源の点灯直後光源を避けるように光源と逆の象限へ移動し、群れではなく個々に段々光源へ近づき、その後徐々に表層に浮き光源直下の直射域に密集した。その際、スルメイカは一種の麻痺状態を示した。一方、比較例１及び２においては、光源直下の照射域に接近することはなく、水槽内の周縁に分散した。また、比較例３においては光源から離れた位置に集まることが明らかとなった。
【００４３】
（実施例５）
光源の発光条件として発光色を緑色、周期を０．５ｓ（点灯時間０．２５ｓ、消灯時間０．２５ｓ）とした以外は（実施例１）と同様に行った。
【００４４】
（比較例４）
光源の発光条件として発光色を赤色、周期を０．５ｓ（点灯時間０．２５ｓ、消灯時間０．２５ｓ）とした以外は（実施例１）と同様に行った。
【００４５】
実施例５においては、実施例１と同様に、光源２０の点灯直後光源２０を避けるように光源２０と逆の象限へ移動し、群れではなく個々に段々光源へ近づき、その後徐々に表層に浮き光源直下の直射域に密集した。その際、スルメイカは一種の麻痺状態を示した。その際、スルメイカの行動が麻痺しており、光源への密集と離散を緩慢な周期で繰り返していた。一方、比較例４においては、赤色の発光に対して顕著な走光性を示さないことが分かった。
【図面の簡単な説明】
【００４６】
【図１】本発明の実施の形態（１）に係る集魚灯装置、及びその使用方法を示す図である。
【図２】本発明の実施の形態（１）に係る集魚灯装置の構成を示す図である。
【図３】本発明の実施の形態（１）に係る集魚灯装置の構成を示す図である。
【図４】（ａ）本発明の実施の形態（１）における集魚灯を示す斜視図である。（ｂ）（ａ）のＡ−Ａ断面図である。
【図５】本発明の実施の形態（１）における集魚灯の光源の点滅状態を表す図ある。
【図６】本発明の実施例において用いた実験装置を示す斜視図である。
【符号の説明】
【００４７】
１００            集魚灯装置
１                光源制御部
１０              操作部
１１              点滅周期制御部
１１１            点滅周期ボリューム部
１１２            点滅周期スケール部
１２              点灯時間制御部
１２１            点灯時間ボリューム部
１２２            点灯時間スケール部
１３              発光波長制御部
１３１            発光波長ボリューム部
１３２            発光波長スケール部
１４              発光強度制御部
１４１            発光強度ボリューム部
１４２            発光強度スケール部
１５              回路部
１５１            ＣＰＵ
１５２            定電流回路
２、２Ｂ          集魚灯
２０              光源
２１              発光ダイオード
２１１            赤色発光ダイオード
２１２            青色発光ダイオード
２１３            緑色発光ダイオード
２２、２２ｂ      筐体
２３              入出力線
２４、２４ｂ      取り付け器具
２５              貫通孔
２６              発光ダイオード実装基板
２７              防水シリコン
２８              冷却用ファン
２９              傘部
３                自動イカ釣り機
３１              釣り糸
３２              擬餌針
３３              おもり
４                集魚灯水深調節装置
４１              ワイヤ
Ｓ                漁船
【図１】
0004732212.tif 000002
【図２】
0004732212.tif 000003
【図３】
0004732212.tif 000004
【図４】
0004732212.tif 000005
【図５】
0004732212.tif 000006
【図６】
0004732212.tif 000007